(57)【特許請求の範囲】
【請求項１】
主桁間に架橋した横梁と主桁の外側に張り出した仮設梁によって形成した梁を橋軸方向に所定の間隔で設置し、横梁上に仮設した橋軸方向のレール上に台車付主型枠を設置すると共に、仮設梁上に仮設した橋軸方向のレール上に台車付張出部型枠を設置させたことを特徴とする床版打設用設備。
【請求項２】
前記主型枠及び前記張出部型枠にサポートジャッキを設けてコンクリート打設時に各台車の車輪に荷重が作用しないようにしたことを特徴とする請求項１記載の床版打設用設備。
【請求項３】
前記仮設梁上に敷設した上屋移動用レールに上屋を移動自在に設置したことを特徴とする請求項１記載の床版打設用設備。
【発明の詳細な説明】
【０００１】
【発明の属する技術分野】
本発明は、橋梁などの床版を打設するための設備に関する。
【０００２】
【従来の技術】
例えば、図１０のように、左右一対のＩ形断面の主桁１のフランジ４１に、それぞれ、支保工支持フレーム４２を移動自在に組み付けると共に、これらの支保工支持フレーム４２によって横長の支保工梁４３を吊り下げ、更に、支保工梁４３上に丈の高い型枠支保工４４を立設させた床版打設設備が機関誌などに紹介されている。
【０００３】
【発明が解決しようとする課題】
ところが、主桁１同士は、一般に、図示しない添接板を介して連結されているため、支保工支持フレーム４２を主桁１の長さ方向に移動させようとすると、添接板が障害になって支保工支持フレーム４２を円滑に移動させることが難しい。
また、上記型枠支保工４４の高さが高いため、作業上の危険度が増加する虞れがある。更に、支保工梁４３が主桁１より下方に吊り下げられているから橋脚を乗り越えることができない。従って、橋脚の手前で作業を中断して支保工梁を当該橋脚より先方の工事区間に付け替える支保工梁の付替工事が必要になる。
【０００４】
本発明は、係る従来の問題に鑑みてなされたものであり、その目的とするところは、支保工梁の付替工事などの余分な工事が不必要であるばかりでなく、型枠などの移動が円滑で、かつ、安全に作業が行える床版打設用設備を提供することにある。
【０００５】
【課題を解決するための手段】
即ち、請求項１に記載の床版打設用設備は、主桁間に架橋した横梁と主桁の外側に張り出した仮設梁によって形成した梁を橋軸方向に所定の間隔で設置し、横梁上に仮設した橋軸方向のレール上に台車付主型枠を設置すると共に、仮設梁上に仮設した橋軸方向のレール上に台車付張出部型枠を設置させたことを特徴としている。
【０００６】
また、請求項２に記載の床版打設用設備は、前記主型枠及び前記張出部型枠にサポートジャッキを設けてコンクリート打設時に各台車の車輪に荷重が作用しないようにしたことを特徴としている。
また、請求項３に記載の床版打設用設備は、前記仮設梁上に敷設した上屋移動用レールに上屋を移動自在に設置したことを特徴としている。
【０００８】
【発明の実施の形態】
以下、図面を参照しながら本発明の実施の形態について説明する。
図１に示すように、梁１２は、主桁１間に架橋させた横梁２と、主桁１の外側に張り出させた仮設梁２０により形成されている。そして、この梁１２は、橋軸方向に所定の間隔で設置されている。仮設梁２０は、主桁１の横腹に溶接され、工事終了後に取り払うようになっているが、主桁１の横腹に固定したブラケットに添接板を介して取り付けて撤去し易いようにしてもよい。なお、仮設梁２０には、横梁２と同種の梁材を使用する。
【０００９】
そして、主桁１に平行、すなわち、橋軸方向に敷設した横梁２上のレール３に台車付の主型枠６を設置する。主型枠６は、図３に示すように、台車５に取り付けた左右一対の上下用油圧シリンダー７によって支持されているが、主型枠６と台車５との間に設けた横送り用油圧シリンダー１５によって右又は左方向に位置調整できるようになっている。また、主型枠６は、多数のジャッキ１４により橋軸と直交する方向にキャンバーをつけることができるようになっている。
【００１０】
主型枠６は、中央部型枠４と、その左右両側に取り付けたハンチ部型枠１０から構成されている。そして、ハンチ部型枠１０は、ハンチ部型枠１０と中央部型枠４との間に架橋させた伸縮用油圧シリンダー１６によって起伏されるようになっている。また、主型枠６は、図２に示すように、台車５に設けた走行装置１７によって前・後進できるようになっている。主型枠６は、図２のような１ブロック単位で使用してもよいが、数ブロック連結させた状態で使用してもよい。
【００１１】
更に、図３に示すように、中央部型枠４の構成部材の一つである横枠８の両端部に、サポートジャッキ１８を下向きに取り付ける一方、このサポートジャッキ１８に対向するように横梁８上にサポートジャッキ用Ｈ型鋼１９を敷設する。しかし、サポートジャッキ１８をサポートジャッキ用Ｈ型鋼１９上に上向きに設置しても良い。
【００１２】
一方、主桁１に平行、すなわち、橋軸方向に敷設した仮設梁２０上のレール２１に台車付の張出部型枠２２を搭載する。張出部型枠２２は、台車２３に取り付けた左右一対の上下用油圧シリンダー（不図示）によって支持されているが、張出部型枠２２と台車２３との間に設けた横送り用油圧シリンダー２８によって右又は左方向に位置調整できるようになっている。また、台車２３は、台車２３に設けた走行装置（図示せず）によって前・後進するようになっている。
【００１３】
更に、張出部型枠２２の両端部に、サポートジャッキ２９を下向きに取り付ける一方、このサポートジャッキ２９に対向するように仮設梁２０上にサポートジャッキ用Ｈ型鋼３０を敷設する。しかし、サポートジャッキ２９をサポートジャッキ用Ｈ型鋼３０上に上向きに設置しても良い。
また、上記台車５及び２３から足場を吊り下げる場合は、横梁２及び仮設梁２０を越えるため、昇降式の足場にする。
【００１４】
また、図１に示すように、仮設梁２０の最外端部に設けた左右一対の上屋移動用レール３１上に上屋３２を移動自在に配設し、雨天時でも作業ができるようにする。この上屋３２は、コンクリートの養生にも適している。
上屋３２は、図１に示すように、山形状のフレーム３３上にテント地３４を被せた構造で、図４のように、前後方向に縮めることもできるようになっている。また、この上屋３２は、図４に示すように、レールクランプ３５、自走装置３６、ストッパー３７を備えている。
【００１５】
次に、上記移動用型枠を使用したコンクリート打設作業について説明する。
図５に示すように、個々の走行装置１７により所定の床版打設位置まで主型枠６及び張出型枠２２を移動させる。移動終了後、図６のように、各台車５及び２３に設けた上下用油圧シリンダー７、横送り用油圧シリンダー１５及び２８、伸縮用油圧シリンダー１６及び主桁１と張出部型枠２２間に設けたフレーム伸縮用棒ジャッキ３８によって主型枠６及び張出型枠２２を固定する。
【００１６】
型枠固定終了後、図７のように、上下用油圧シリンダー７を下げてサポートジャッキ１８及び２９にて主型枠６及び張出型枠２２を支持する。
そして、図８に示すように、他の場所で組み込んだ鉄筋３９を図示しないクレーンで主型枠４及び張出型枠２２内に組み込む。そして、図９に示すように、コンクリート４０を打設し養生後、主型枠４及び張出型枠，２２を降下させて、次工程に移動させる。そして、図６〜図９の工程を繰り返し行う。
【００１７】
【発明の効果】
上記のように、本発明は、主桁間に架橋した横梁と主桁の外側に張り出した仮設梁により形成した梁を橋軸方向に所定の間隔で設置し、横梁上に仮設した橋軸方向のレール上に台車付主型枠を設置すると共に、仮設梁上に仮設した橋軸方向のレール上に台車付張出部型枠を設置させたので、支保工梁の付替工事などの余分な工事が不必要であるばかりでなく、主型枠や張出型枠などの型枠の移動を円滑に行えるようになった。また、梁から主型枠や張出型枠などの型枠までの高さが従来に比べてかなり低いので、安全に、かつ、効率的に作業を行うことができるようになった。
【図面の簡単な説明】
【図１】本発明に係る床版打設用設備の正面図である。
【図２】本発明に係る床版打設用設備の側面図である。
【図３】本発明に係る床版打設用設備の要部拡大正面図である。
【図４】上屋の側面図である。
【図５】型枠を所定位置に移動させる説明図である。
【図６】型枠を所定の位置にセットさせる説明図である。
【図７】型枠を所定の位置にセット完了した説明図である。
【図８】型枠内に鉄筋を組み込む作業の説明図である。
【図９】型枠内にコンクリートを打設した説明図である。
【図１０】従来の床版打設設備の説明図である。
【符号の説明】
１  主桁                            ２  横梁
３  レール                          ６  台車付主型枠
１２  梁                            ２０  仮設梁
２１  レール                        ２２  台車付張出部型枠
【図１】
0003873101.tif 000002
【図２】
0003873101.tif 000003
【図３】
0003873101.tif 000004
【図４】
0003873101.tif 000005
【図５】
0003873101.tif 000006
【図６】
0003873101.tif 000007
【図７】
0003873101.tif 000008
【図８】
0003873101.tif 000009
【図９】
0003873101.tif 000010
【図１０】
0003873101.tif 000011